(57)【特許請求の範囲】
【請求項１】
カメラ本体側に配設し、このカメラ本体側に装着した交換レンズをロックするレンズロック機構のロックを、外部からの操作により解除可能なカメラ用ロック解除装置において、先端が前記交換レンズに設けた係合部に係止して当該交換レンズの位置をロック可能なロックピン及びこのロックピンを前記交換レンズ側に付勢する弾性部材を設けたロック部を有するレンズロック機構と、所定の変位量が付与されることにより前記ロックピンを前記カメラ本体側に変位させて前記レンズロック機構のロックを解除可能なロック解除部と、このロック解除部に対して、少なくとも所定の変位量を伝達可能、かつ外部から操作可能となるように、前記交換レンズに対して同軸上であって、前記カメラ本体のカメラマウント部に隣接した位置となる当該カメラ本体に配設し、全体を前記カメラマウント部と略同径又は径大のリング形状に形成したロック解除リングとを備えてなることを特徴とするカメラ用ロック解除装置。
【請求項２】
前記ロック解除部は、前記レンズロック機構におけるロック部と兼用又はロック部とは別体に形成することを特徴とする請求項１記載のカメラ用ロック解除装置。
【請求項３】
前記ロック解除リングは、光軸方向に付勢する弾性部材の弾性に抗してロックを解除するロック解除方向を含む光軸方向に進退変位可能に配設することを特徴とする請求項１又は２記載のカメラ用ロック解除装置。
【請求項４】
前記ロック解除リングは、周方向に付勢する弾性部材の弾性に抗してロックを解除するロック解除方向を含む周方向に回動変位可能に配設することを特徴とする請求項１又は２記載のカメラ用ロック解除装置。
【請求項５】
カメラ本体側となる当該カメラ本体のカメラマウント部に対して着脱するマウントアダプタに配設し、このカメラ本体側に装着した交換レンズをロックするレンズロック機構のロックを、外部からの操作により解除可能なカメラ用ロック解除装置において、先端が前記交換レンズに設けた係合部に係止して当該交換レンズの位置をロック可能なロックピン及びこのロックピンを前記交換レンズ側に付勢する弾性部材を設けたロック部を有するレンズロック機構と、所定の変位量が付与されることにより前記ロックピンを前記カメラ本体側に変位させて前記レンズロック機構のロックを解除可能なロック解除部と、このロック解除部に対して、少なくとも所定の変位量を伝達可能、かつ外部から操作可能となるように、前記交換レンズに対して同軸上であって、前記カメラ本体のカメラマウント部に隣接した位置となる前記マウントアダプタに配設し、全体を前記カメラマウント部と略同径又は径大のリング形状に形成したロック解除リングとを備えてなることを特徴とするカメラ用ロック解除装置。
【請求項６】
前記ロック解除部は、前記レンズロック機構におけるロック部と兼用又はロック部とは別体に形成することを特徴とする請求項５記載のカメラ用ロック解除装置。
【請求項７】
前記ロック解除リングは、光軸方向に付勢する弾性部材の弾性に抗してロックを解除するロック解除方向を含む光軸方向に進退変位可能に配設することを特徴とする請求項５又は６記載のカメラ用ロック解除装置。
【請求項８】
前記ロック解除リングは、周方向に付勢する弾性部材の弾性に抗してロックを解除するロック解除方向を含む周方向に回動変位可能に配設することを特徴とする請求項５又は６記載のカメラ用ロック解除装置。
【請求項９】
前記マウントアダプタは、前記交換レンズが着脱するフロントマウント部を光軸方向に変位可能なフォーカス調整用補助リングを備えることを特徴とする請求項５〜８のいずれかに記載のカメラ用ロック解除装置。
【請求項１０】
前記マウントアダプタは、前記フォーカス調整用補助リングの調整位置をロック又はロック解除する補助リングロック機構を備えることを特徴とする請求項９記載のカメラ用ロック解除装置。
【発明の詳細な説明】
【技術分野】
【０００１】
本発明は、カメラ本体側に装着した交換レンズをロックするレンズロック機構のロックを解除する際に用いて好適なカメラ用ロック解除装置に関する。
【背景技術】
【０００２】
一般に、レンズ交換式カメラは、カメラ本体とこのカメラ本体に対して着脱する交換レンズの組合わせにより構成される。この場合、カメラ本体と交換レンズが同一メーカーであれば、カメラ本体に対して交換レンズを直接装着可能となるが、カメラ本体と交換レンズのメーカーが異なるなどにより、カメラ本体のマウント部と交換レンズのマウント部の規格（メーカー規格）が異なった場合、直接装着できないため、カメラ本体と交換レンズ間にマウントアダプタを介在させて装着を可能にしている。また、カメラ本体側（マウントアダプタを含む）にはレンズロック機構を内蔵し、カメラ本体側に交換レンズを装着した際にはレンズロック機構によりロックし、交換レンズの脱落を阻止するとともに、他方、カメラ本体側にはロック解除装置を配設し、カメラ本体側から交換レンズを取外す際には、当該ロック解除装置を手で操作し、レンズロック機構のロックを解除することにより取外しを可能にしている。
【０００３】
従来、この種のロック解除装置は、そのほとんどが操作ボタン或いは操作レバーを用いたいわば一点操作方式により構成されている。例えば、特許文献１には、着脱ボタンを押し下げることにより、着脱ボタンに連動するロックピンがカメラマウントのマウント面から退避し、これによりロックを解除する解除機構が開示され、また、特許文献２には、ロック解除ボタンを押し込むと、ガイド軸の先端が被押圧部を押圧し、ロックピン付勢ばねの付勢力に抗して、ロックピン支持部材をガイド軸に沿って下方に移動させるとともに、さらに、レンズロックピンの先端をボディ側マウント面と略面一となる非係合位置まで退避させ、ロックピン進退孔内に収納させることにより、ロックを解除する解除機構が開示され、また、特許文献３には、ロック解除ボタンの頭部を押圧すると、ロック解除ボタン及び可動部材がスプリングに抗して移動するとともに、当該可動部材のテーパ付き外周面によりレンズロックレバーが軸を中心に回動し、レンズロックレバーのロック爪がレンズマウントに装着されているレンズから外れることにより、レンズのロックを解除する解除機構が開示され、さらに、特許文献４には、マウントロック解除ボタンを圧縮コイルスプリングの弾性力に抗して押し下げると、軸の先端部が連結部材を押し下げるとともに、ピンが円筒ガイド部に案内されることにより、ロックピンがその軸方向に引き下げられ、これにより、ロックピンと連動するレンズ駆動ピンが引き下げられることにより、レンズのロックを解除する解除機構が開示されている。
【先行技術文献】
【特許文献】
【０００４】
【特許文献１】特開２０１１−１７５１９０号公報
【特許文献２】特開２０００−３０５１２７号公報
【特許文献３】特開平１０−２０６９５３号公報
【特許文献４】特開平１０−９０７７３号公報
【発明の概要】
【発明が解決しようとする課題】
【０００５】
しかし、上述した従来のカメラ用ロック解除装置（特許文献１〜４）は、次のような問題点があった。
【０００６】
第一に、操作ボタン或いは操作レバーはカメラ本体側の配設面から少なからず突出した形態となる。したがって、その部分は手で把持することができないなど、カメラ使用時には邪魔な存在になるとともに、シンプル或いはスマートなデザイン（形状）を設計しにくいなど、デザインの設計自由度を確保する側面からもマイナス要因となる。
【０００７】
第二に、いわばピンポイント的な操作を行う必要があることから、位置を確認して操作しなければならないとともに、カメラ本体の全体形状によってはカメラ本体を手で持つ位置により操作しにくいケースが発生する。したがって、容易かつ迅速な操作を行うことができないなど、操作性に劣り、解除操作の容易性及び迅速性を確保する観点からは、必ずしも望ましい解除手段といえない。
【０００８】
本発明は、このような背景技術に存在する課題を解決したカメラ用ロック解除装置の提供を目的とするものである。
【課題を解決するための手段】
【０００９】
本発明に係るカメラ用ロック解除装置１は、カメラ本体Ｃ側に配設し、このカメラ本体Ｃ側に装着した交換レンズＬをロックするレンズロック機構２のロックを、外部からの操作により解除可能なロック解除装置を構成するに際して、先端が交換レンズＬに設けた係合部Ｌｍｓに係止して当該交換レンズＬの位置をロック可能なロックピン１１及びこのロックピン１１を交換レンズＬ側に付勢する弾性部材５ｓを設けたロック部２ｒを有するレンズロック機構２と、所定の変位量Ｓｍが付与されることによりロックピン１１をカメラ本体Ｃ側に変位させてレンズロック機構２のロックを解除可能なロック解除部３と、このロック解除部３に対して、少なくとも所定の変位量Ｓｍを伝達可能、かつ外部から操作可能となるように、交換レンズＬに対して同軸上であって、カメラ本体Ｃのカメラマウント部Ｃｍに隣接した位置となる当該カメラ本体Ｃに配設し、全体をカメラマウント部Ｃｍと略同径又は径大のリング形状に形成したロック解除リング４とを備えてなることを特徴とする。この場合、好適な態様により、ロック解除部３は、レンズロック機構２におけるロック部２ｒに兼用又はロック部２ｒとは別体に形成することができる。また、ロック解除リング４は、光軸方向Ｆｃに付勢される弾性部材５ｓ（５ｒ…）の弾性に抗してロックを解除するロック解除方向Ｆｃｎを含む光軸方向Ｆｃに進退変位可能に配設することもできるし、或いは周方向Ｆｆに付勢する弾性部材５ｓの弾性に抗してロックを解除するロック解除方向Ｆｆｎ，Ｆｆｐを含む周方向Ｆｆに回動変位可能に配設することもできる。
【００１０】
一方、本発明に係る他の形態に係るカメラ用ロック解除装置１は、カメラ本体Ｃ側となる当該カメラ本体Ｃのカメラマウント部Ｃｍに対して着脱するマウントアダプタＡに配設し、このカメラ本体Ｃ側に装着した交換レンズＬをロックするレンズロック機構２のロックを、外部からの操作により解除可能なロック解除装置を構成するに際して、カメラ本体Ｃのカメラマウント部Ｃｍに対して着脱するマウントアダプタＡに設けることにより、カメラ本体Ｃに設けることにより、先端が交換レンズＬに設けた係合部Ｌｍｓに係止して当該交換レンズＬの位置をロック可能なロックピン１１及びこのロックピン１１を交換レンズＬ側に付勢する弾性部材５ｓを設けたロック部２ｒを有するレンズロック機構２と、所定の変位量Ｓｍが付与されることによりロックピン１１をカメラ本体Ｃ側に変位させてレンズロック機構２のロックを解除可能なロック解除部３と、このロック解除部３に対して、少なくとも所定の変位量Ｓｍを伝達可能、かつ外部から操作可能となるように、交換レンズＬに対して同軸上であって、カメラ本体Ｃのカメラマウント部Ｃｍに隣接した位置となるマウントアダプタＡに配設し、全体をカメラマウント部Ｃｍと略同径又は径大のリング形状に形成したロック解除リング４とを備えてなることを特徴とする。この場合、好適な態様により、ロック解除部３は、レンズロック機構２におけるロック部２ｒに兼用させてもよいし、ロック部２ｒとは別体に形成してもよい。また、ロック解除リング４は、光軸方向Ｆｃに付勢される弾性部材５ｓ（５ｒ…）の弾性に抗してロックを解除するロック解除方向Ｆｃｎを含む光軸方向Ｆｃに進退変位可能に配設することもできるし、或いは周方向Ｆｆに付勢する弾性部材５ｓの弾性に抗してロックを解除するロック解除方向Ｆｆｎ，Ｆｆｐを含む周方向Ｆｆに回動変位可能に配設することもできる。さらに、マウントアダプタＡには、交換レンズＬが着脱するフロントマウント部６を光軸方向Ｆｃに変位可能なフォーカス調整用補助リング７を設けることができるとともに、加えて、フォーカス調整用補助リング７の調整位置をロック又はロック解除する補助リングロック機構８を設けることができる。
【発明の効果】
【００１１】
このような構成を有する本発明に係るカメラ用ロック解除装置１によれば、次のような顕著な効果を奏する。
【００１２】
（１）  交換レンズＬに対して同軸上であって、カメラ本体Ｃのカメラマウント部Ｃｍに隣接した位置となる当該カメラ本体Ｃに配設し、又はカメラ本体Ｃのカメラマウント部Ｃｍに隣接した位置となるマウントアダプタＡに配設し、全体をカメラマウント部Ｃｍと略同径又は径大のリング形状に形成したロック解除リング４を備えるため、このロック解除リング４は、交換レンズＬに対して形状的に一体化させることができる。したがって、カメラ前面における無用な突出部分が排除され、省スペース性、更には取扱性の向上を図ることができる。
【００１３】
（２）  リング形状に形成したロック解除リング４を備えるため、このロック解除リング４は、交換レンズＬに対してデザイン的に一体化させることができる。したがって、デザイン設計自由度の向上、更には全体の統一感を醸し出すことによる商品性の向上を図ることができる。
【００１４】
（３）  ロック解除部３に対して、少なくとも所定の変位量Ｓｍを伝達可能、かつ外部から操作可能となるロック解除リング４を備えるため、ロック解除部３に変位量Ｓｍを伝達するロック解除リング４における少なくとも所定範囲にわたる部位が操作可能範囲となる。これにより、一般的な交換レンズＬを想定した場合、ロック解除部３の位置に対して概ね±５０〔゜〕の周方向範囲、全体では概ね１００〔゜〕の周方向範囲が操作可能範囲となる。したがって、容易かつ迅速な解除操作を可能にするなど、操作性の向上にも寄与できる。
【００１５】
（４）  ロック解除リング４を、カメラ本体Ｃに設けた場合には、カメラ本体Ｃの前面（前面パネル）における無用な突起部分を排除できるため、カメラ全体のデザイン性（形状性）の向上に寄与できる。
【００１６】
（５）  ロック解除リング４を、カメラ本体Ｃのカメラマウント部Ｃｍに対して着脱するマウントアダプタＡに設けた場合には、本発明の作用効果を確保する側面から、より大きなパフォーマンスを得ることができる。即ち、マウントアダプタＡの全体形状はリング状となるため、従来の場合、操作ボタンの代わりに操作レバーを設けざるを得なかった。このため、全体形状としては、より突起部分が目立ち、かつ邪魔な存在となっていたが、ロック解除リング４の採用により、これら従来の問題点を一掃することができる。
【００１７】
（６）  好適な態様により、ロック解除部３を、レンズロック機構２におけるロック部２ｒに兼用させれば、構成の単純化を図れるため、部品点数の削減による低コスト化、剛性向上による耐久性の向上及び操作感の向上に寄与できる。
【００１８】
（７）  好適な態様により、ロック解除部３を、レンズロック機構２におけるロック部２ｒとは別体に形成すれば、ロック部２ｒの形状や構成に左右されることなく、ロック解除部３を含むロック解除装置１の構築が可能になるため、装置全体の設計自由度向上を図れるとともに、多機能性の向上にも寄与できる。
【００１９】
（８）  好適な態様により、ロック解除リング４を、光軸方向Ｆｃに付勢する弾性部材５ｓ（５ｒ…）の弾性に抗してロックを解除するロック解除方向Ｆｃｎを含む光軸方向Ｆｃに進退変位可能に配設すれば、ロック解除操作は、いわゆるワンプッシュ方式により容易に行うことができる。
【００２０】
（９）  好適な態様により、ロック解除リング４を、周方向Ｆｆに付勢する弾性部材５ｓの弾性に抗してロックを解除するロック解除方向Ｆｆｎ，Ｆｆｐを含む周方向Ｆｆに回動変位可能に配設すれば、ロック解除操作は、交換レンズＬにおけるフォーカスリングやズームリング等の操作リングと同様に行うことができるため、交換レンズＬに対して操作面からも統一感を出すことができる。しかも、ロック解除リング４の周方向Ｆｆ全周（３６０〔゜〕）における全位置において操作可能となるため、使い勝手及び利便性を高めることができるとともに、使用者が左効きであっても容易に操作できる。
【００２１】
（１０）  好適な態様により、マウントアダプタＡに、交換レンズＬが着脱するフロントマウント部６を光軸方向Ｆｃに変位可能なフォーカス調整用補助リング７を設ければ、交換レンズＬに備えている本来のフォーカスリングのフォーカシング範囲（距離）に加えて、更に交換レンズＬを移動できるため、全体のフォーカシング範囲（距離）をより広げることができるなど、全体のカメラ性能をより高めることができる。
【００２２】
（１１）  好適な態様により、マウントアダプタＡに、フォーカス調整用補助リング７の調整位置をロック又はロック解除する補助リングロック機構８を設ければ、フォーカス調整用補助リング７により調整した設定位置（調整位置）が使用中に誤ってズレてしまう不具合を回避できるため、使用時の安定性及び使い勝手をより高めることができる。
【図面の簡単な説明】
【００２３】
【図１】本発明の好適実施形態に係るロック解除装置を備えるマウントアダプタの斜視図、
【図２】同マウントアダプタの断面平面図、
【図３】同マウントアダプタの正面図、
【図４】同マウントアダプタに着脱する交換レンズの背面図、
【図５】同マウントアダプタの規制機構を明示するための一部拡大断面図、
【図６】同マウントアダプタの補助リングロック機構を明示するための一部拡大側面図、
【図７】同マウントアダプタの側面図及びこのマウントアダプタにカメラ本体と交換レンズを装着した状態を示す仮想図、
【図８】同マウントアダプタの側面図及びこのマウントアダプタに装着するカメラ本体と交換レンズの側面図、
【図９】同ロック解除装置に備えるロック解除リング及びロック解除部（ロックピン）の斜視図、
【図１０】同ロック解除装置に備えるロック解除リングの断面平面図、
【図１１】同ロック解除装置及びレンズロック機構のロック状態を示す一部拡大断面図、
【図１２】同ロック解除装置及びレンズロック機構のロックを解除する際の一部拡大断面図、
【図１３】同マウントアダプタにカメラ本体と交換レンズを装着した状態を示す全体斜視図、
【図１４】本発明の変更実施形態に係るロック解除装置を備えるカメラ本体と交換レンズの側面図、
【図１５】本発明の他の変更実施形態に係るロック解除装置を備えるマウントアダプタと交換レンズの側面図、
【図１６】同マウントアダプタにおけるロック解除装置の原理構成図、
【発明を実施するための形態】
【００２４】
次に、本発明に係る好適実施形態を挙げ、図面に基づき詳細に説明する。
【００２５】
まず、本実施形態に係るロック解除装置１の構成上の理解を助けるため、同ロック解除装置１を備えるマウントアダプタＡの基本構成の概要について、図１〜図８を参照して説明する。
【００２６】
このマウントアダプタＡは、カメラ本体Ｃにおけるカメラマウント部Ｃｍに対して、交換レンズＬにおけるレンズマウント部Ｌｍの規格が一致しない場合において、カメラ本体Ｃと交換レンズＬの間に介在させて使用する。したがって、マウントアダプタＡを使用する際には、図７及び図８に示すように、カメラ本体Ｃのカメラマウント部Ｃｍに、マウントアダプタＡのリア側を装着するとともに、マウントアダプタＡのフロント側に、交換レンズＬのレンズマウント部Ｌｍを装着して使用する。
【００２７】
図１は、マウントアダプタＡを示し、全体をリング状（短筒状）に構成する。マウントアダプタＡは、光軸方向Ｆｃの後端側に、カメラ本体Ｃのカメラマウント部Ｃｍが着脱するリアマウント部２１を有するとともに、光軸方向Ｆｃの前端側に、交換レンズＬのレンズマウント部Ｌｍが着脱するフロントマウント部６を有する。このフロントマウント部６には、交換レンズＬの装着時に、装着をロックするレンズロック機構２を付設するとともに、このレンズロック機構２によるロックを解除する本実施形態に係るロック解除装置１を付設する。したがって、マウントアダプタＡの種類により、リアマウント部２１はカメラ本体Ｃの種類に対応して構成され、フロントマウント部６は交換レンズＬの種類に対応して構成される。
【００２８】
一方、マウントアダプタＡにおける光軸方向Ｆｃの中間にはフォーカス調整用補助リング７を配設する。この補助リング７は、図２に示すように、前部に位置する補助リング本体７ｍと後部に位置する支持筒部７ｓを備え、補助リング本体７ｍはこの支持筒部７ｓにより回動自在に支持されている。そして、この補助リング７の後側に、リアマウント部２１を有するリアマウントブロック２４を配設するとともに、この補助リング７の前側に、フロントマウント部６を有するフロントマウントブロック２５を配設する。
【００２９】
リアマウントブロック２４は、後部側をリアマウント部２１として構成するとともに、前部側を把持筒部２４ｈとして構成する。リアマウント部２１は、後方に突出する係合筒部２１ｃとこの係合筒部２１ｃの後端に配した三つの係止爪部２１ｎ…を備える。各係止爪部２１ｎ…は係合筒部２１ｃの後端における周方向に所定間隔おきに一体形成し、かつラジアル方向に突出させるとともに、少なくとも各係止爪部２１ｎ…の一部は異なる形状に形成する。これにより、カメラ本体Ｃにおけるカメラマウント部Ｃｍに対して、特定角度位置においてのみ着脱可能となる。なお、カメラマウント部Ｃｍは、詳細な図示を省略したが、基本的な構成及び機能は、後述するフロントマウント部６と同じであり、リアマウント部２１における係合筒部２１ｃ…を含む係止爪部２１ｎ…の挿入が許容される内周面と、各係止爪部２１ｎ…を挿入する三つの対応する切欠凹部及び各切欠凹部間に形成される被係止爪部を有している。また、リアマウント部２１における係合筒部２１ｃの内周面は、補助リング７における支持筒部７ｓの外周面に対してネジ結合により固定する。
【００３０】
他方、補助リング７の前側に配するフロントマウントブロック２５は、前部側を、前述したフロントマウント部６として構成するとともに、後部側を、螺合筒部２５ｊとして構成する。この場合、フロントマウント部６と螺合筒部２５ｊは一体に組付けるとともに、螺合筒部２５ｊの外周面は、補助リング７における補助リング本体７ｍの内周面に対してヘリコイドネジ機構等を用いた螺合機構２６により螺合する（図５参照）。また、フロントマウントブロック２５と前述したリアマウントブロック２４は、図５に示すように、規制レバー２７ｓを用いた規制機構２７により回動方向の相対変位が規制される。
【００３１】
このフロントマウント部６には、交換レンズＬにおけるレンズマウント部Ｌｍが着脱する。図３にフロントマウント部６の正面形状を、図４にこのフロントマウント部６に着脱する交換レンズＬの背面形状、即ち、交換レンズＬにおけるレンズマウント部Ｌｍをそれぞれ一例として示す。例示のレンズマウント部Ｌｍは、図４及び図８に示すように、後方に突出する係合筒部Ｌｍｃとこの係合筒部Ｌｍｃの後端に有する四つの係止爪部Ｌｍｎ…を備える。各係止爪部Ｌｍｎ…は係合筒部Ｌｍｃの後端における周方向に所定間隔おきに一体形成し、かつラジアル方向に突出させるとともに、少なくとも各係止爪部Ｌｍｎ…の一部は異なる形状に形成する。これにより、フロントマウント部６は、交換レンズＬにおけるレンズマウント部Ｌｍに対して、特定角度位置においてのみ着脱可能となる。
【００３２】
このため、交換レンズＬにおけるレンズマウント部Ｌｍが着脱するマウントアダプタＡにおけるフロントマウント部６は、係合筒部Ｌｍｃを含む係止爪部Ｌｍｎ…の挿入が許容される内周面部６ｉとこの内周面部６ｉの前端縁に有する四つの被係止爪部６ｎ…により構成する。各被係止爪部６ｎ…は内周面部６ｉの前端縁における周方向に所定間隔おきに一体形成し、かつ中心方向に突出させる。また、各被係止爪部６ｎ…の相互間には、各係止爪部Ｌｍｎ…の進入が許容される切欠凹部６ｈ…が形成され、この切欠凹部６ｈ…の形状は各係止爪部Ｌｍｎ…に形状にそれぞれ対応させる。
【００３３】
このような構成において、補助リング７とフロントマウントブロック２５は螺合機構２６を介して螺合するとともに、フロントマウントブロック２５は規制機構２７により回動変位のみが規制されているため、補助リング７を手で回し操作すれば、交換レンズＬをカメラ本体Ｃに対して光軸方向Ｆｃに相対変位させることができる。したがって、交換レンズＬに備えている本来のフォーカスリングのフォーカシング範囲（距離）に加えて、更に交換レンズＬを移動できるため、全体のフォーカシング範囲（距離）をより広げることができるなど、全体のカメラ性能をより高めることができる。
【００３４】
また、補助リング７には、図６に示すように、補助リング７の調整位置（設定位置）をロック又はロック解除するための補助リングロック機構８を備えている。この補助リングロック機構８は、補助リング７の外周面に、光軸方向Ｆｃへスライド形式により進退変位するロック部材８ｒを有し、このロック部材８ｒは不図示のバネ部材により後方となるリアマウントブロック２４側に付勢されている。さらに、リアマウントブロック２４には、ロック部材８ｒの一部が挿入可能な一又は二以上の係止凹部８ｓ…が周方向における所定位置に形成されている。したがって、このような補助リングロック機構８を設ければ、調整位置をロックできるため、補助リング７により調整した設定位置が使用中に誤ってズレてしまう不具合を回避でき、使用時の安定性及び使い勝手をより高めることができる。
【００３５】
そして、マウントアダプタＡにおけるフロントマウント部６と螺合筒部２５ｊ間には、交換レンズＬの装着時に当該装着をロックするレンズロック機構２を配設するとともに、このレンズロック機構２によるロックをマニュアル操作により解除する本実施形態に係るロック解除装置１を配設する。
【００３６】
次に、本実施形態に係るロック解除装置１（レンズロック機構２を含む）の具体的な構成について、図１〜図１０を参照して説明する。
【００３７】
ロック解除装置１はレンズロック機構２と一体的に構成する。この場合、レンズロック機構２は、図２及び図９に示す丸棒状のロックピン１１を備え、このロックピン１１は、後部を、螺合筒部２５ｊに設けたガイド凹部１２にスプリング（弾性部材）５ｓを介して挿入するとともに、前端部を、フロントマウント部６に設けた開口部６ｓを通して前方へ突出させる。これにより、ロックピン１１はスプリング５ｓの圧縮弾性により前方へ付勢されるとともに、ロックピン１１に一体に設けたフランジ状のストッパ部１１ｓにより前方への変位が規制される。
【００３８】
この場合、ロックピン１１を配する位置は、装着した交換レンズＬに対して背面方向Ｆｒから見て右側の位置に配設する。これにより、カメラ本体Ｃを右手で持った際に、当該右手の指Ｈ（図１２参照）により容易に操作可能になり、解除操作の容易性及び迅速性の向上に寄与できる。なお、左側の位置に配設する場合を排除するものではない。この場合、カメラ本体Ｃを左手で持った際に当該左手の指により操作可能となる。
【００３９】
他方、レンズマウント部Ｌｍには、図４に示すように、当該ロックピン１１の先端部が挿入可能なＵ形の切欠係合部Ｌｍｓが設けられている。したがって、装着時には、ロックピン１１の先端部が切欠係合部Ｌｍｓに係止し、装着した交換レンズＬがロックされる。この場合、ロックピン１１は、スプリング５ｓの弾性による付勢方向（前方）へ変位することによりロック部２ｒとして機能する。また、この付勢方向に対して反対方向（後方）へ変位させればロックを解除することができる。
【００４０】
次に、要部構成となるロック解除装置１の構成について説明する。ロック解除装置１は、図９及び図１０に示すロック解除リング４を備える。ロック解除リング４は、筒形に形成した解除リング本体部４ｍと、この解除リング本体部４ｍの内周面における光軸方向Ｆｃの中間位置に一体形成し、かつ中心方向に延出させたリング板状の規制リング部４ｓを備える。ロック解除リング４は、図２に示すように、フロントマウント部６と螺合筒部２５ｊの間に介在させ、前後方向の所定範囲にわたって変位自在となるように組付ける。この際、リング本体部４ｍの外周面は、補助リング本体７ｍの内周面にガイドされるように考慮する。また、規制リング部４ｓの前面は、レンズマウント部Ｌｍにより規制させるように考慮する。そして、螺合筒部２５ｊの前面と規制リング部４ｓの後面間には、圧縮した複数のスプリング（弾性部材）５ｒ…を介在させる。例示の場合、三つのスプリング５ｒ…と前述した一つのスプリング５ｓの計四つのスプリング５ｓ，５ｒ…を周方向に沿って等間隔で配している。
【００４１】
これにより、ロック解除リング４は、スプリング５ｓ，５ｒ…の圧縮弾性により前方へ付勢され、かつフロントマウント部６により規制される。したがって、ロック解除リング４は外部から押し操作可能となる。この場合、ロック解除リング４の先端側は、補助リング７の前端から所定幅にわたって突出させるとともに、ロック解除リング４の先端面はフロントマウント部６の先端面の面上に一致させる。即ち、交換レンズＬ及びマウントアダプタＡに対してデザイン上の一体感（統一感）が醸し出されるように考慮する。
【００４２】
また、規制リング部４ｓには、前述したロックピン１１の先端部側が挿通する開口部４ｓｈを設ける。これにより、ロックピン１１の先端部は、当該開口部４ｓｈを通った後、フロントマウント部６の開口部６ｓを通って前方に突出する。したがって、ロックピン１１はロック部２ｒとして機能するとともに、ロック解除リング４の光軸方向Ｆｃの変位が伝達されるロック解除部３を兼用することになる。このように、ロック解除部３をロック部２ｒに兼用させれば、構成の単純化を図れるため、部品点数の削減による低コスト化、剛性向上による耐久性の向上及び操作感の向上に寄与できる利点がある。
【００４３】
さらに、本実施形態では、ロック解除装置１（ロック解除リング４）をマウントアダプタＡに付設した場合を示した。このように、ロック解除リング４を、マウントアダプタＡに設ければ、本発明の作用効果を確保する側面から、より大きなパフォーマンスを得ることができる。即ち、マウントアダプタＡの全体形状はリング状となるため、従来の場合、操作ボタンの代わりに操作レバーを設けざるを得なかった。このため、全体形状としては、より突起部分が目立ち、かつ邪魔な存在となっていたが、ロック解除リング４の採用により、これら従来の問題点を一掃することができる。
【００４４】
次に、本実施形態に係るロック解除装置１の機能について、マウントアダプタＡの使用方法を含め、図１〜図１３を参照して説明する。
【００４５】
まず、マウントアダプタＡを使用する際には、マウントアダプタＡのリアマウント部２１をカメラ本体Ｃに装着する。この場合、マウントアダプタＡの把持筒部２４ｈを手で持ち、特定角度位置において、マウントアダプタＡにおけるリアマウント部２１をカメラ本体Ｃにおけるカメラマウント部Ｃｍに挿入した後、所定の方向に回し操作すれば、各係止爪部２１ｎ…とカメラマウント部Ｃｍの被係止爪部が係止するとともに、図示を省略したカメラ本体Ｃにおけるレンズロック機構により装着がロックされる。
【００４６】
次いで、交換レンズＬをマウントアダプタＡのフロントマウント部６に装着する。この場合も、特定角度位置において、交換レンズＬにおけるレンズマウント部ＬｍをマウントアダプタＡにおけるフロントマウント部６に挿入する。この際、スプリング５ｓ（５ｒ…）により弾性支持されるロックピン１１はフロントマウント部６の前面まで押し込まれる。この後、交換レンズＬをマウントアダプタＡに対して所定の方向に回し操作すれば、カメラマウント部Ｃｍの各係止爪部Ｌｍｎ…とフロントマウント部６の被係止爪部６ｎ…がそれぞれ係止するとともに、フロントマウント部６の前面まで押し込まれたロックピン１１の位置と切欠係合部Ｌｍｓの位置が一致すれば、ロックピン１１はスプリング５ｓの弾性により前方へ突出し、切欠係合部Ｌｍｓに進入する。これにより、レンズロック機構２のロック機能により交換レンズＬの装着がロックされる。ロック状態のレンズロック機構２を図１１に拡大断面により示す。また、カメラ本体Ｃ，マウントアダプタＡ及び交換レンズＬが装着された全体の外観構成を図１３に示す。以上により、カメラ本体Ｃに対するマウントアダプタＡ及び交換レンズＬの装着が終了する。
【００４７】
他方、交換レンズＬをマウントアダプタＡから取り外す場合は、次のように操作する。まず、カメラ本体Ｃを手で持ち、図１２に示すように、手の指Ｈでロック解除リング４を後方となる補助リング７側へ押込み操作する。この際、ロック解除リング４に対する操作範囲は、ロック解除部３（ロックピン１１）に対して所定範囲が操作可能となる。具体的には、一般的な交換レンズＬを想定した場合、ロック解除部３の位置に対して概ね±５０〔゜〕の周方向範囲、全体では概ね１００〔゜〕の周方向範囲が操作可能となる。このように、本実施形態に係るロック解除装置１は、ロック解除部３に対して、少なくとも所定の変位量Ｓｍを伝達可能、かつ外部から操作可能となるロック解除リング４を備えるため、ロック解除部３に変位量Ｓｍを伝達するロック解除リング４における少なくとも所定範囲にわたる部位が操作可能範囲となる。したがって、容易かつ迅速な解除操作を可能にするなど、操作性の向上にも寄与できる。しかも、ロック解除リング４は、光軸方向Ｆｃに付勢する弾性部材５ｓ（５ｒ…）の弾性に抗してロックを解除するロック解除方向Ｆｃｎを含む光軸方向Ｆｃに進退変位可能に配設したため、ロック解除操作は、いわゆるワンプッシュ方式により容易に行うことができる。
【００４８】
一方、補助リング７に対して、ストッパ部１１ｓが係止しているため、ロック解除リング４を押込み操作すれば、操作に基づく所定の変位量は、ストッパピン１１（ロック解除部３）に伝達され、ストッパピン１１も一緒に押し込まれる。そして、補助リング７の操作量に基づき、ロック解除部３が所定の変位量Ｓｍだけ変位すれば、ストッパピン１１の先端面はレンズマウント部Ｌｍの切欠係合部Ｌｍｓから抜け出るため、交換レンズＬを他の手で装着時に対して反対方向に回せばよい。この際、特定角度位置まで回せば、交換レンズＬのレンズマウント部Ｌｍを、マウントアダプタＡのフロントマウント部６から離脱させることができる。
【００４９】
さらに、マウントアダプタＡをカメラ本体Ｃから取り外す際の操作も同様に行うことができる。この場合、カメラ本体Ｃ側に図示を省略した所定のロック解除機構が設けられているため、その手順に沿って操作すれば、ロックを解除できる。そして、ロックを解除したなら、カメラ本体Ｃに対してマウントアダプタＡを手で回すとともに、特定角度位置まで回せば、マウントアダプタＡのフロントマウント部６をカメラ本体Ｃのカメラマウント部Ｃｍから離脱させることができる。
【００５０】
よって、このような本実施形態に係るロック解除装置１によれば、交換レンズＬに対して同軸上の位置に配設した、全体がリング形状となるロック解除リング４を備えるため、このロック解除リング４は、交換レンズＬに対して形状的（デザイン的）に一体化させることができる。したがって、カメラ前面における無用な突出部分が排除され、省スペース性、更には取扱性の向上を図ることができるとともに、デザイン設計自由度の向上、更には全体の統一感を醸し出すことによる商品性の向上を図ることができる。
【００５１】
次に、本発明の変更実施形態に係るロック解除装置１について、図１４〜図１６を参照して説明する。
【００５２】
図１４に示す変更実施形態に係るロック解除装置１は、ロック解除リング４を、カメラ本体Ｃに配設したものである。図１〜図１３の実施形態は、ロック解除リング４を、カメラ本体Ｃにおけるカメラマウント部Ｃｍに対して着脱するマウントアダプタＡに配設した場合を示したが、図１４は、カメラ本体Ｃに一体となるように配設した。したがって、前述したマウントアダプタＡの前側の一部、即ち、フロントマウント部１２とロック解除装置１を含むレンズロック機構２をカメラ本体Ｃに設けたものであり、マウントアダプタＡにおける補助リング７及びリアマウント部２１は設けない（存在しない）。このように、ロック解除リング４を、カメラ本体Ｃに一体に配設すれば、カメラ本体Ｃの前面（前面パネル）における無用な突起部分を排除できるため、カメラ全体のデザイン性（形状性）の向上に寄与できる。
【００５３】
図１５及び図１６に示す変更実施形態に係るロック解除装置１は、ロック解除リング４を、周方向Ｆｆに付勢する弾性部材５ｓの弾性に抗してロックを解除するロック解除方向Ｆｆｎ，Ｆｆｐを含む周方向Ｆｆに回動変位可能に配設したものである。したがって、ロック解除リング４は、周方向Ｆｆに回動変位可能に配設するも、光軸方向Ｆｃへの変位は規制して配設する。なお、ロック解除リング４の外周面には凹凸による滑止部５１を設けた。一方、例示の場合、ロック解除部３は、ロック部２ｒ（ロックピン１１）に対して一体には形成するも、兼用させることなく別体に形成した場合を示す。このように、ロック解除部３を、レンズロック機構２におけるロック部２ｒとは別体に形成してもよく、この場合には、ロック部２ｒの形状や構成に左右されることなく、ロック解除部３を含むロック解除装置１の構築が可能になる。したがって、装置全体の設計自由度向上を図れるとともに、多機能性の向上にも寄与できる。
【００５４】
また、例示のロック解除リング４は、図１６に示すように、傾斜面５２ｐ，５２ｎをＶ状に組合わせたロック解除面５２を形成するとともに、このロック解除面５２に弾性部材５ｓにより支持されたロック解除部３の先端を当接させた。この場合、弾性部材５ｓは傾斜面５２ｐと５２ｎの双方に係合可能になるため、弾性部材５ｓによる弾性の分力は周方向Ｆｆにおける一方Ｆｆｐと他方Ｆｆｎの双方に作用する。したがって、ロック解除リング４をいずれの方向Ｆｆｐ，Ｆｆｎに変位させてもロック位置（傾斜面５２ｐと５２ｎの境界位置）に復帰させることが可能となる。なお、図１６に示す構成は原理的な構成であり、同様の機能（作用）を呈するものであれば、各種構成により置換できる。
【００５５】
このように、ロック解除リング４を、周方向Ｆｆに付勢する弾性部材５ｓの弾性に抗してロックを解除するロック解除方向Ｆｆｎ，Ｆｆｐを含む周方向Ｆｆに回動変位可能に配設すれば、ロック解除操作は、交換レンズＬにおけるフォーカスリングやズームリング等の操作リングと同様に行うことができるため、交換レンズＬに対して操作面からも統一感を出すことができる。しかも、ロック解除リング４の周方向Ｆｆ全周（３６０〔゜〕）における全位置において操作可能となるため、使い勝手及び利便性を高めることができるとともに、使用者が左効きであっても容易に操作できる利点がある。
【００５６】
以上、好適実施形態（変更実施形態）について詳細に説明したが、本発明は、このような実施形態に限定されるものではなく、細部の構成，形状，素材，数量，数値等において、本発明の要旨を逸脱しない範囲で、任意に変更，追加，削除することができる。
【００５７】
例えば、例示のように、カメラ本体側には、カメラ本体のみならず、カメラ本体に装着するマウントアダプタも含まれる。また、カメラ本体には、スチルカメラ本体，ビデオカメラ本体，アナログカメラ本体，デジタルカメラ本体等の各種カメラ本体を含むとともに、プロジェクタ本体等の同様の交換レンズを用いる各種光学機器本体も含まれる。したがって、本発明における「カメラ本体」とは、交換レンズが着脱可能な各種の「光学機器本体」を含む概念である。さらに、マウントアダプタＡには補助リング７を設けた場合を例示したが補助リング７は必ずしも設けることを要しない。
【産業上の利用可能性】
【００５８】
本発明にかかるロック解除装置は、カメラ本体側に装着した交換レンズをロックするレンズロック機構のロックを解除する際に用いることができる。
【符号の説明】
【００５９】
１：ロック解除装置，２：レンズロック機構，２ｒ：ロック部，３：ロック解除部，４：ロック解除リング，５…：弾性部材，５ｓ：弾性部材，６：フロントマウント部，７：フォーカス調整用補助リング，８：補助リングロック機構，１１：ロックピン，Ａ：マウントアダプタ，Ｃ：カメラ本体，Ｃｍ：カメラマウント部，Ｌ：交換レンズ，Ｌｍｓ：係合部，Ｓｍ：所定の変位量，Ｆｒ：背面方向，Ｆｃ：光軸方向，Ｆｒ：周方向，Ｆｃｎ：ロック解除方向，Ｆｆｎ：ロック解除方向，Ｆｆｐ：ロック解除方向
【要約】
【課題】  無用な突出部分を排除して省スペース性及び取扱性の向上を図るとともに、交換レンズに対して形状的に一体化し、デザイン設計自由度の向上、全体の統一感を醸し出すことによる商品性向上を図り、加えて解除操作の容易性及び迅速性の向上を図る。
【解決手段】  カメラ本体Ｃ側に配設し、このカメラ本体Ｃ側に装着した交換レンズＬをロックするレンズロック機構２のロックを、外部からの操作により解除可能なカメラ用ロック解除装置１を構成するに際して、所定の変位量Ｓｍが付与されることによりレンズロック機構２のロックを解除可能なロック解除部３と、このロック解除部３に対して、少なくとも所定の変位量Ｓｍを伝達可能、かつ外部から操作可能となるように、交換レンズＬに対して同軸上の位置に配設したロック解除リング４を設ける。
【選択図】  図１【図１】
0005525093.tif 000002
【図２】
0005525093.tif 000003
【図３】
0005525093.tif 000004
【図４】
0005525093.tif 000005
【図５】
0005525093.tif 000006
【図６】
0005525093.tif 000007
【図７】
0005525093.tif 000008
【図８】
0005525093.tif 000009
【図９】
0005525093.tif 000010
【図１０】
0005525093.tif 000011
【図１１】
0005525093.tif 000012
【図１２】
0005525093.tif 000013
【図１３】
0005525093.tif 000014
【図１４】
0005525093.tif 000015
【図１５】
0005525093.tif 000016
【図１６】
0005525093.tif 000017